【手続補正書】
【提出日】平成29年1月19日(2017.1.19)
【手続補正１】
【補正対象書類名】明細書
【補正対象項目名】発明の名称
【補正方法】変更
【補正の内容】
【発明の名称】表示装置、表示システム、端末装置及びプログラム
【手続補正２】
【補正対象書類名】明細書
【補正対象項目名】０００１
【補正方法】変更
【補正の内容】
【０００１】
本発明は、表示装置、表示システム、端末装置及びプログラムに関する。
【手続補正３】
【補正対象書類名】明細書
【補正対象項目名】０００６
【補正方法】変更
【補正の内容】
【０００６】
上記課題を解決するため、本発明に係る表示装置は、予め登録されたネットワークの経路を示す経路情報を記憶する記憶手段と、端末装置から送信されたネットワークの経路を示す経路情報を受信する受信手段と、前記受信手段により受信した経路情報と、前記記憶手段に記憶された経路情報とを比較し、二つの経路情報がほぼ同一経路を示すか否かを判定する判定手段と、前記判定手段により前記二つの経路情報がほぼ同一経路を示すと判定された場合、表示情報を表示手段に表示させる制御手段と、を備える。
また、本発明に係る表示装置は、ネットワークを介して所定の端末装置から送信される所定の表示情報を受信する受信手段と、前記所定の表示情報が送信されてくるのに先立って前記所定の表示情報が予め設定されているネットワーク経路とほぼ同一のネットワーク経路で送信されてくると判定された場合に、前記所定の端末装置から送信されてくる前記表示情報の受信を許可する制御手段と、を備える。
また、本発明に係る表示装置は、ネットワークを介して所定の端末装置から送信されてきた所定の表示情報を受信する受信手段と、前記受信手段により受信した表示情報が予め設定されているネットワーク経路とほぼ同一のネットワーク経路で送信されてきた場合に、前記所定の表示情報に基づいた表示画面の表示を許可する制御手段と、を備える。
また、本発明に係る表示装置は、ネットワークを介して所定の端末装置から送信されてきた所定の表示情報が予め設定されているネットワーク経路とほぼ同一のネットワーク経路で送信されてきたか否かを判定する判定手段と、前記判定手段により前記所定の表示情報が予め設定されているネットワーク経路とほぼ同一のネットワーク経路で送信されてきたと判定された場合に、前記所定の表示情報に基づいた表示画面を表示させる制御手段と、を備える。
また、本発明に係る端末装置は、ネットワークの経路を示す経路情報を表示装置に送信する送信手段と、前記表示装置に予め登録されたネットワークの経路を示す経路情報と、前記送信手段により送信した経路情報との比較結果を受信する受信手段と、前記比較結果により、前記表示装置に予め登録されたネットワークの経路を示す経路情報と、前記送信手段により送信した経路情報の二つの経路情報がほぼ同一経路を示す場合、前記表示装置に映像を送信する制御手段と、を備える。
【手続補正４】
【補正対象書類名】明細書
【補正対象項目名】０００８
【補正方法】変更
【補正の内容】
【０００８】
また、本発明に係るプログラムは、表示装置のコンピュータを、端末装置から送信されたネットワークの経路を示す経路情報を受信する受信手段、前記受信手段により受信した経路情報と、予め登録されたネットワークの経路を示す経路情報を記憶する記憶手段に記憶された経路情報とを比較し、二つの経路情報がほぼ同一経路を示すか否かを判定する判定手段、前記判定手段により前記二つの経路情報がほぼ同一経路を示すと判定された場合、表示情報を表示手段に表示させる制御手段、として機能させるためのプログラムである。
また、本発明に係るプログラムは、端末装置のコンピュータを、ネットワークの経路を示す経路情報を表示装置に送信する送信手段、前記表示装置に予め登録されたネットワークの経路を示す経路情報と、前記送信手段により送信した経路情報との比較結果を受信する受信手段、前記比較結果により、前記表示装置に予め登録されたネットワークの経路を示す経路情報と、前記送信手段により送信した経路情報の二つの経路情報がほぼ同一経路を示す場合、前記表示装置に映像を送信する制御手段、として機能させるためのプログラムである。
【手続補正５】
【補正対象書類名】明細書
【補正対象項目名】００２７
【補正方法】変更
【補正の内容】
【００２７】
次に、無線端末装置５０の構成について説明する。
無線端末装置５０は、例えば、表示部５１、操作部５２、通信部５３、ＧＰＳ（Global Positioning System）部５４、記憶部５５、及びこれらを制御する制御部５６等を備えている。
【手続補正６】
【補正対象書類名】明細書
【補正対象項目名】００３３
【補正方法】変更
【補正の内容】
【００３３】
また、制御部５６は、映像送信アプリを起動し、表示装置１００に対して表示情報の送信を実行する。
【手続補正７】
【補正対象書類名】明細書
【補正対象項目名】００６２
【補正方法】変更
【補正の内容】
【００６２】
１  ゲートウェイ装置
２  ゲートウェイ装置
３  ゲートウェイ装置
１０  アクセスポイント装置
２０  アクセスポイント装置
３０  アクセスポイント装置
４０、４０ａ、４０ｂ  有線端末装置
４１  表示部
４２  操作部
４３  通信部
４４  記憶部
４５  制御部
５０、５０ａ、５０ｂ  無線端末装置（端末装置）
５１  表示部
５２  操作部
５３  通信部
５４  ＧＰＳ部
５５  記憶部
５６  制御部
１００  表示装置
１１０  投影部
１１１  制御部（記憶手段、受信手段、判定手段、制御手段）
１１２  プロジェクタ
１１３  記憶部（記憶手段）
１１３Ａ  経路情報記憶部
１１３Ｂ  設定画面記憶部
１１４  通信部
１１５  操作部
１２０  スクリーン部
１２１  映像表示部
１２２  音声出力部
１０００  表示システム
Ｎ  ネットワーク
【手続補正８】
【補正対象書類名】特許請求の範囲
【補正対象項目名】全文
【補正方法】変更
【補正の内容】
【特許請求の範囲】
【請求項１】
予め登録されたネットワークの経路を示す経路情報を記憶する記憶手段と、
端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示装置。
【請求項２】
前記判定手段は、前記受信手段により受信した経路情報と、前記記憶手段に記憶された経路情報とを比較し、二つの経路情報が一致するかあるいは経路情報が近似する場合は、二つの経路情報がほぼ同一経路を示すと判定する請求項１に記載の表示装置。
【請求項３】
前記記憶手段は、所定の端末装置から送信されたネットワークの経路を示す経路情報を前記経路情報として記憶する請求項１又は２に記載の表示装置。
【請求項４】
前記制御手段は、前記判定手段により前記二つの経路情報がほぼ同一経路を示すと判定された場合、前記受信手段により受信した前記経路情報を送信した端末装置から送信される表示情報を受信し、受信した表示情報を前記表示手段に表示させる請求項１〜３の何れか一項に記載の表示装置。
【請求項５】
前記判定手段は、二つの経路が異なるアクセスポイントを経由した場合であっても、同一のゲートウェイを経由した場合には、二つの経路情報がほぼ同一経路を示すと判定する請求項１〜４の何れか一項に記載の表示装置。
【請求項６】
前記判定手段は、前記二つの経路の所定の一部が一致する場合は前記二つの経路情報がほぼ同一経路を示すと判定する請求項１〜４の何れか一項に記載の表示装置。
【請求項７】
ネットワークを介して接続される端末装置と表示装置とを備えた表示システムであって、
前記端末装置は、
前記表示装置にネットワークの経路を示す経路情報を送信可能であって、
前記表示装置は、
予め登録されたネットワークの経路を示す経路情報を記憶する記憶手段と、
前記端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示システム。
【請求項８】
表示装置のコンピュータを、
端末装置から送信されたネットワークの経路を示す経路情報を受信する受信手段、
前記受信手段により受信した経路情報と、予め登録されたネットワークの経路を示す経路情報を記憶する記憶手段に記憶された経路情報とを比較し、二つの経路情報がほぼ同一経路を示すか否かを判定する判定手段、
前記判定手段により前記二つの経路情報がほぼ同一経路を示すと判定された場合、表示情報を表示手段に表示させる制御手段、
として機能させるためのプログラム。
【請求項９】
ネットワークの経路を示す経路情報を表示装置に送信する送信手段と、
前記表示装置に予め登録されたネットワークの経路を示す経路情報と、前記送信手段により送信した経路情報との比較結果を受信する受信手段と、
前記比較結果により、前記表示装置に予め登録されたネットワークの経路を示す経路情報と、前記送信手段により送信した経路情報の二つの経路情報がほぼ同一経路を示す場合、前記表示装置に映像を送信する制御手段と、
を備える端末装置。
【請求項１０】
端末装置のコンピュータを、
ネットワークの経路を示す経路情報を表示装置に送信する送信手段、
前記表示装置に予め登録されたネットワークの経路を示す経路情報と、前記送信手段により送信した経路情報との比較結果を受信する受信手段、
前記比較結果により、前記表示装置に予め登録されたネットワークの経路を示す経路情報と、前記送信手段により送信した経路情報の二つの経路情報がほぼ同一経路を示す場合、前記表示装置に映像を送信する制御手段、
として機能させるためのプログラム。
【請求項１１】
ネットワークを介して所定の端末装置から送信される所定の表示情報を受信する受信手段と、
前記所定の表示情報が送信されてくるのに先立って前記所定の表示情報が予め設定されているネットワーク経路とほぼ同一のネットワーク経路で送信されてくると判定された場合に、前記所定の端末装置から送信されてくる前記表示情報の受信を許可する制御手段と、
を備える表示装置。
【請求項１２】
ネットワークを介して所定の端末装置から送信されてきた所定の表示情報を受信する受信手段と、
前記受信手段により受信した表示情報が予め設定されているネットワーク経路とほぼ同一のネットワーク経路で送信されてきた場合に、前記所定の表示情報に基づいた表示画面の表示を許可する制御手段と、
を備える表示装置。
【請求項１３】
ネットワークを介して所定の端末装置から送信されてきた所定の表示情報が予め設定されているネットワーク経路とほぼ同一のネットワーク経路で送信されてきたか否かを判定する判定手段と、
前記判定手段により前記所定の表示情報が予め設定されているネットワーク経路とほぼ同一のネットワーク経路で送信されてきたと判定された場合に、前記所定の表示情報に基づいた表示画面を表示させる制御手段と、
を備える表示装置。
【手続補正９】
【補正対象書類名】図面
【補正対象項目名】図２
【補正方法】変更
【補正の内容】
【図２】
2015185868.tif 000001